【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
下式を有する１つ以上のアクリレートを含有する硬化性ワックスと、任意要素の着色剤とを含むインク媒剤を有し、
【化１】
2012184406.tif 000001
式中、ｎは２２未満、融点が２５〜４０℃であり、
硬化性転相インクが印刷された基材の印刷領域の７５°光沢値が、約８０〜１００ｇｇｕである、硬化性転相インク。
【請求項２】
前記硬化性ワックスが、約４０〜約５５重量％のＣ１８アクリレート、約０〜約１５重量％のＣ２０アクリレート、約３５〜約４５重量％のＣ２２アクリレートの組み合わせを含む、請求項１に記載の硬化性転相インク。
【請求項３】
前記硬化性ワックスが、前記硬化性転相インクの合計重量の約１５重量％〜約１重量％の量で存在する、請求項１に記載の硬化性転相インク。
【請求項４】
前記硬化性ワックスが、前記硬化性転相インクの合計重量の約１０重量％〜約５重量％の量で存在する、請求項３に記載の硬化性転相インク。
【請求項５】
前記硬化性ワックスは、融点が約２５〜約３５℃である、請求項１に記載の硬化性転相インク。
【請求項６】
前記インク媒剤が、ゲル化剤、反応性希釈剤、開始剤をさらに含む、請求項１に記載の硬化性転相インク。
【請求項７】
前記ゲル化剤が、下式を有する化合物であり、
【化２】
2012184406.tif 000002
式中、Ｒ1は、（ｉ）直鎖および分岐、飽和および不飽和、環状および非環状、置換および非置換のアルキレン基を含み、ヘテロ原子が、アルキレン基に存在していてもよく、存在していなくてもよい、アルキレン基、（ｉｉ）置換および非置換のアリーレン基を含み、ヘテロ原子が、アリーレン基に存在していてもよく、存在していなくてもよい、アリーレン基、（ｉｉｉ）置換および非置換のアリールアルキレン基を含み、アリールアルキレン基のアルキル部分が、直鎖または分岐、飽和または不飽和、環状または非環状であってもよく、ヘテロ原子が、アリールアルキレン基のアリール部分またはアルキル部分のいずれかに存在していてもよく、存在していなくてもよい、アリールアルキレン基、または、（ｉｖ）置換および非置換のアルキルアリーレン基を含み、アルキルアリーレン基のアルキル部分は、直鎖または分岐、飽和または不飽和、環状または非環状であってもよく、ヘテロ原子が、アルキルアリーレン基のアリール部分またはアルキル部分のいずれかに存在していてもよく、存在していなくてもよい、アルキルアリーレン基であり、Ｒ2およびＲ2’は、それぞれ互いに独立して、（ｉ）直鎖および分岐、飽和および不飽和、環状および非環状、置換および非置換のアルキレン基を含み、ヘテロ原子が、アルキレン基に存在していてもよく、存在していなくてもよい、アルキレン基、（ｉｉ）置換および非置換のアリーレン基を含み、ヘテロ原子が、アリーレン基に存在していてもよく、存在していなくてもよい、アリーレン基、（ｉｉｉ）置換および非置換のアリールアルキレン基を含み、アリールアルキレン基のアルキル部分は、直鎖または分岐、飽和または不飽和、環状または非環状であってもよく、ヘテロ原子は、アリールアルキレン基のアリール部分またはアルキル部分のいずれかに存在していてもよく、存在していなくてもよい、アリールアルキレン基、または（ｉｖ）置換および非置換のアルキルアリーレン基を含み、アルキルアリーレン基のアルキル部分は、直鎖または分岐、飽和または不飽和、環状または非環状であってもよく、ヘテロ原子は、アルキルアリーレン基のアリール部分またはアルキル部分のいずれかに存在していてもよく、存在していなくてもよい、アルキルアリーレン基であり、Ｒ3およびＲ3’は、それぞれ互いに独立して、（ａ）光開始基、または（ｂ）（ｉ）直鎖および分岐、飽和および不飽和、環状および非環状、置換および非置換のアルキル基を含み、ヘテロ原子が、アルキル基に存在していてもよく、存在していなくてもよい、アルキル基、（ｉｉ）置換および非置換のアリール基を含み、ヘテロ原子が、アリール基に存在していてもよく、存在していなくてもよい、アリール基、（ｉｉｉ）置換および非置換のアリールアルキル基を含み、アリールアルキル基のアルキル部分は、直鎖または分岐、飽和または不飽和、環状または非環状であってもよく、ヘテロ原子は、アリールアルキル基のアリール部分またはアルキル部分のいずれかに存在していてもよく、存在していなくてもよい、アリールアルキル基、または（ｉｖ）置換および非置換のアルキルアリール基を含み、アルキルアリール基のアルキル部分は、直鎖または分岐、飽和または不飽和、環状または非環���であってもよく、ヘテロ原子は、アルキルアリール基のアリール部分またはアルキル部分のいずれかに存在していてもよく、存在していなくてもよい、アルキルアリール基である基であり、ＸおよびＸ’は、それぞれ互いに独立して、酸素原子であるか、または式ＮＲ4の基であり、ここで、Ｒ4は、（ｉ）水素原子、（ｉｉ）直鎖および分岐、飽和および不飽和、環状および非環状、置換および非置換のアルキル基を含み、ヘテロ原子が、アルキル基に存在していてもよく、存在していなくてもよい、アルキル基、（ｉｉｉ）置換および非置換のアリール基を含み、ヘテロ原子が、アリール基に存在していてもよく、存在していなくてもよい、アリール基、（ｉｖ）置換および非置換のアリールアルキル基を含み、アリールアルキル基のアルキル部分は、直鎖または分岐、飽和または不飽和、環状または非環状であってもよく、ヘテロ原子は、アリールアルキル基のアリール部分またはアルキル部分のいずれかに存在していてもよく、存在していなくてもよい、アリールアルキル基、または（ｖ）置換および非置換のアルキルアリール基を含み、アルキルアリール基のアルキル部分は、直鎖または分岐、飽和または不飽和、環状または非環状であってもよく、ヘテロ原子は、アルキルアリール基のアリール部分またはアルキル部分のいずれかに存在していてもよく、存在していなくてもよい、アルキルアリール基である、請求項６に記載の硬化性転相インク。
【請求項８】
前記反応性希釈剤が、プロポキシル化ネオペンチルグリコールジアクリレート、ジエチレングリコールジアクリレート、トリエチレングリコールジアクリレート、ヘキサンジオールジアクリレート、ジプロピレングリコールジアクリレート、トリプロピレングリコールジアクリレート、アルコキシル化ネオペンチルグリコールジアクリレート、アクリル酸イソデシル、アクリル酸トリデシル、アクリル酸イソボルニル、プロポキシル化トリメチロールプロパントリアクリレート、エトキシル化トリメチロールプロパントリアクリレート、ジ−トリメチロールプロパンテトラアクリレート、ジペンタエリスリトールペンタアクリレート、エトキシル化ペンタエリスリトールテトラアクリレート、プロポキシル化グリセロールトリアクリレート、メタクリル酸イソボルニル、アクリル酸ラウリル、メタクリル酸ラウリル、ネオペンチルグリコールプロポキシレートメチルエーテルモノアクリレート、メタクリル酸イソデシル、カプロラクトンアクリレート、２−フェノキシエチルアクリレート、アクリル酸イソオクチル、メタクリル酸イソオクチル、トリシクロデカンジメタノールジアクリレート、ジオキサングリコールジアクリレート、ブタンジオールジアクリレート、アクリル酸ブチル、これらの混合物からなる群から選択される硬化性モノマーまたは硬化性コモノマーである、請求項６に記載の硬化性転相インク。
【請求項９】
前記開始剤が、ベンゾフェノン、ベンゾフェノン誘導体、ベンジルケトン、α−アルコキシベンジルケトン、ヒドロキシルケトンモノマー、ヒドロキシルケトンポリマー、α−アミノケトン、アルコキシケトン、アシルホスフィンオキシド、メタロセン、ベンゾインエーテル、ベンジルケタール、α−ヒドロキシアルキルフェノン、α−アミノアルキルフェノン、アシルホスフィン光開始剤、これらの混合物からなる群から選択される、請求項６に記載の硬化性転相インク。
【請求項１０】
画像を作成する方法であって、
印刷画像の光沢を調整するために、請求項１に記載の硬化性転相インクと、光沢が高い硬化性転相インクを用い、これらインクを、画像になるような様式で、基材に塗布することと、
前記硬化性転相インクに放射線をあて、インクを硬化させて画像を形成することと、
を含む、方法。